(57)【要約】      （修正有）【課題】燃焼室の底板上の熾火に薪を載せた時に薪が燻されて煙が発生することを防止できるようにした薪ストーブを提供する。【解決手段】薪ストーブ１０は、燃焼室１４の底板２８に突起物３８を形成することにより、底板２８と薪１２との間に空間４０を形成するものである。底板２８の下板３２をスライドさせて上板３０の穴部３６を閉じ燃焼室１４を密閉状態にすることにより、熾火４２を灰受け部２２に落とさずに、熾火４２が燃え尽きるまで燃焼室１４に留め置くことができる。また、底板２８上に多くの熾火４２をつくることができることから、燃焼室１４を高温に保つことができ、突起物３８が熱される。このとき、底板２８と薪１２との間の空間４０に一次燃焼用空気１６を送ることにより、底板２８に載せた薪１２を直ぐに炎で包むことができ、煙が発生することを防止できる。【選択図】図１
2017145999.tif 000002
【特許請求の範囲】
【請求項１】
燃焼室内に薪を載置するための底板とその底板の下方に灰受け部とを備えるものであって、底板は、上下に重なり合う２枚の平板からなり、薪を載置する上板に灰を灰受け部に落とす穴部と当該上板の上面に複数の突起物とを設け、下板に灰を灰受け部に落とす穴部を設けるとともに、下板を上板の下面に沿って燃焼室の前後にスライドするように設け、下板をスライドさせて底板の穴部を開閉することを特徴とする薪ストーブ。
【発明の詳細な説明】
【技術分野】
【０００１】
本発明は、ストーブの燃焼室に薪を入れて燃焼させる薪ストーブに関するものである。
【背景技術】
【０００２】
近年、薪ストーブの愛好家が増えている。しかし、住宅地等で薪ストーブを使用する場合、薪ストーブから排出される煙が近所の迷惑になるという問題があった。
上記問題の解決策として、煙突を高く位置に取り付けることが考えられるが、外気の気流によって他人の生活領域に煙が運ばれることがあるため、有効な解決策とはいえなかった。
【０００３】
薪ストーブの燃焼室で薪が完全燃焼する場合は、薪ストーブの煙突から煙は出ないことから、現在、煙突からの煙が出ない無煙の薪ストーブが提供されている（たとえば、特許文献１）。
【先行技術文献】
【特許文献】
【０００４】
【特許文献１】特開２０１２−７８０５０号公報
【発明の概要】
【発明が解決しようとする課題】
【０００５】
特許文献１の薪ストーブは、薪の投入口近傍の底板に、垂直断面形状が屈曲部を有して底板から後板方向へ返しを形成しながら本体の幅方向に延びる薪枕が固設されている。この薪枕は、薪の一部を載置して底板に傾斜させて支持し、薪と底板との間に隙間を形成して、薪周辺全体に空気を循環させるものであり、この薪枕により、燃焼の効率化を図ることができる。
【０００６】
しかし、特許文献１の薪ストーブでは、薪枕に薪の一部を載置して底板に傾斜させて薪を支持することから、薪全体が燃焼室の底板上の熾火に載置されない。そのため、底板に薪を載せてもすぐに炎が上がらず、薪が燻されて煙が発生するおそれがあった。
【０００７】
本発明は、上記課題を解決するもので、燃焼室の底板上の熾火に薪を載せた時に薪が燻されて煙が発生することを防止できるようにした薪ストーブを提供することを目的とするものである。
【課題を解決するための手段】
【０００８】
本発明の薪ストーブは、燃焼室内に薪を載置するための底板とその底板の下方に灰受け部とを備えるものであって、底板は、上下に重なり合う２枚の平板からなり、薪を載置する上板に灰を灰受け部に落とす穴部と当該上板の上面に複数の突起物とを設け、下板に灰を灰受け部に落とす穴部を設けるとともに、下板を上板の下面に沿って燃焼室の前後にスライドするように設け、下板をスライドさせて底板の穴部を開閉するようにしたものである。
【発明の効果】
【０００９】
本発明の薪ストーブは、燃焼室の底板とその上面に載置される薪との間に空間を設けることにより、燃焼の効率化を図るものである。これにより、薪を完全燃焼させることができ、煙が発生することを防止できる。
【図面の簡単な説明】
【００１０】
【図１】本発明の薪ストーブを表わす図である。
【図２】本発明の薪ストーブの燃焼室の底板を表わす図である。
【図３】図１の燃料室の底板の穴部を開いた状態を表わす図である。
【発明を実施するための形態】
【００１１】
本発明は、燃焼室の底板とその底板に載置する薪との間に、空気の通り道を設けることにより、薪の完全燃焼を実現するものである。
【実施例】
【００１２】
本発明の薪ストーブを図に基づいて説明する。図１は、本発明の薪ストーブを表わす図であり、燃料室の底板の穴部を閉じた状態を表わす図である。図２は、本発明の薪ストーブの燃焼室の底板を表わす図であり、図（ａ）は本発明の薪ストーブの薪載置部の平面図、図（ｂ）は灰排出部の平面図である。図３は、図１の燃料室の底板の穴部を開いた状態を表わす図である。
本発明の薪ストーブ１０は、薪１２を燃焼させる燃焼室１４と、燃焼室１４に一次燃焼用空気（外気）１６を送り込む第一燃焼用空気取入口１８と、燃焼室１４の灰２０（図３）を受ける灰受け部２２と、燃焼室１４のガス２４を外部に排出する排出部（煙突）２６を有するものである。なお、灰受け部２２には、灰受け皿２２ａが設けられている。
薪ストーブ１０は、燃焼室１４内に薪１２を載置するための底板２８を備え、底板２８は、上下に重なり合う２枚の平板３０，３２から形成されている（図１乃至図３）。図１及び図３に示すように、上板の薪載置部３０は、燃焼室１４を形成するボディ３４に固定されている。下板の灰排出部３２は、薪載置部３２の下面に沿って燃焼室１４の前後にスライドできるように設けられている。薪載置部３０と灰排出部３２には、同じ形態の穴部３６が設けられている（図２（ａ）・（ｂ））。灰排出部３２をスライドさせ、薪載置部３０と灰排出部３２の穴部３６を連通させることにより、底板２８の穴部３６を開けることができ、このとき穴部３６を通じて底板２８上の灰２０を灰受け部２２に排出することができる（図３）。また、薪載置部３０と灰排出部３２の穴部３６を連通させないようにすることにより、底板２８の穴部３６を閉じることができ、燃焼室１４を密閉状態にできる（図１）。
第一燃焼用空気取入口１８は、底板２８より高い位置の薪ストーブ１０のボディ３６に形成する。
【００１３】
薪載置部３２は、その上面に突起物３８を備えるものである。図１乃至図３に示す突起物３８は、円柱状のものであるが、この形態に限定するものではない。突起物３８は、薪載置部３０の上面（穴部３６が形成されていない部分）に複数設けられ（図２（ａ））、薪載置部３０に薪１２を載せたとき、薪載置部３０と薪１２との間に空気の通り道となる空間４０を形成するように設けられている（図１）。
また、灰排出部３２をスライドさせて底板２８の穴部３６を閉じた場合（図１）、燃焼室１４は密閉状態になるため、熾火（残り火）４２が灰受け部２２に落ちず、底板２８上に多くの熾火４２をつくることができる。また、薪載置部３０の穴部３６に入り込んだ熾火４２ａも完全燃焼するまで（灰になるまで）、燃焼室１４に留めることができる。さらに、突起物３８が、熾火４２の熱によって高温に熱されることから、燃焼室１４を高温に保つことができる。
したがって、本発明の薪ストーブ１０によると、多くの熾火４２をつくり、燃焼室１４を高温に保つことができることから、底板２８の空間４０に一次燃焼用空気１６を送り込むことにより、薪１２を直ぐに炎で包むことができ、煙の発生を防止することができる。
【００１４】
なお、燃焼室１４の温度が低いときや熾火４２が少ないときは、薪を底板２８に載せても炎が上がらず、不完全燃焼になり煙が発生する。
【００１５】
本発明の薪ストーブでは、燃焼室を高温に保ち、かつ、燃焼室に十分に空気（酸素）を供給することができることから、燃焼室の底板上の熾火に薪全体を載せた時に薪が燻されて煙が発生することを防止できる。
【符号の説明】
【００１６】
１０  薪ストーブ
１２  薪
１４  燃焼室
１６  一次燃焼用空気
２８  底板
３０  上板
３２  下板
３６  穴部
３８  突起物
【図１】
2017145999.tif 000003
【図２】
2017145999.tif 000004
【図３】
2017145999.tif 000005